(57)【要約】【課題】  回転軸体の回転方向を規制し、中皿体の繰り下がりを防止するとともに、低粘度（水分量の多い）の棒状化粧料を収納したときでも、液状化した液が容器の外に漏れ出てしまうことを防止できる繰出容器を提供すること。【解決手段】  繰出容器本体と蓋体とからなる繰出容器において、繰出容器本体は、筒状のケース本体と、ケース本体内で回転不能かつ上下動可能に収容される中皿体と、中皿体を上下動するとともに、回転方向が一方向に規制される回転体とを備え、ケース本体は、外周壁と、外周壁内周から連設される底壁とからなり、底壁は、下面から垂設される下側シール筒を有し、回転体は、ケース本体の下側シール筒と摺接可能な環状シール部を有することを特徴とする。【選択図】  図１
2017012725.tif 000002
【特許請求の範囲】
【請求項１】
繰出容器本体と蓋体とからなる繰出容器において、
繰出容器本体は、筒状のケース本体と、ケース本体内で回転不能かつ上下動可能に収容される中皿体と、中皿体を上下動するとともに、回転方向が一方向に規制される回転体とを備え、
ケース本体は、外周壁と、外周壁内周から連設される底壁とからなり、
底壁は、下面から垂設される下側シール筒を有し、
回転体は、ケース本体の下側シール筒と摺接可能な環状シール部を有することを特徴とする繰出容器。
【請求項２】
回転体は、ケース本体内で回転自在に装着されるとともに、中皿体を上下動する回転軸体と、回転軸体下部に一体的に装着されるとともに、ケース本体下部で回転方向が一方向に規制される回転操作体とからなることを特徴とする請求項１に記載の繰出容器。
【請求項３】
回転操作体は、回転軸体に装着される嵌合内筒を有し、
嵌合内筒は、上端部に環状シール部を有することを特徴とする請求項２に記載の繰出容器。
【請求項４】
ケース本体の外周壁は、底壁より下方の内周に配設されるラチェット歯を有し、
回転操作体は、ケース本体のラチェット歯と係合するラチェット部を有することを特徴とする請求項２または３に記載の繰出容器。
【請求項５】
中皿体は、ケース本体の外周壁の内周で摺動する外筒と、外筒の内周下部に連設される皿底壁と、皿底壁の内縁に立設されるとともに、内周に雌ネジ部が螺設される内筒とからなり、
回転軸体は、回転操作体の嵌合内筒が装着される嵌合筒と、嵌合筒から立設される軸部とからなり、
軸部は、中皿体の雌ネジ部に螺合される雄ネジ部を有することを特徴とする請求項２〜４のいずれかに記載の繰出容器。
【請求項６】
回転体は、ケース本体内で回転自在に装着されるとともに、中皿体を上下動する回転軸体と、回転軸体下部に一体的に装着されるとともに、ケース本体下部で回転方向が一方向に規制される回転規制体とからなることを特徴とする請求項１に記載の繰出容器。
【請求項７】
回転軸体は、回転規制体が装着される嵌合筒を有し、
嵌合筒は、上端部に環状シール部を有することを特徴とする請求項６に記載の繰出容器。
【請求項８】
ケース本体の外周壁は、底壁より下方の内周に配設されるラチェット歯を有し、
回転規制体は、ケース本体のラチェット歯と係合するラチェット部を有することを特徴とする請求項６または７に記載の繰出容器。
【請求項９】
中皿体は、ケース本体の外周壁の内周で摺動する外筒と、外筒の内周下部に連設される皿底壁と、皿底壁の内縁に立設されるとともに、内周に雌ネジ部が螺設される内筒とからなり、
回転軸体は、回転規制体が装着される嵌合筒と、中皿体の雌ネジ部に螺合される雄ネジ部を有する軸部とからなることを特徴とする請求項６〜８のいずれかに記載の繰出容器。
【発明の詳細な説明】
【技術分野】
【０００１】
本発明は、繰出容器に関し、とくに、中皿体の繰り下がりを防止した繰出容器に関するものである。
【背景技術】
【０００２】
棒状化粧料などの棒状の内容物を収納する筒状の容器として、ケース体（ケース本体）と回転体（回転軸体）と、中皿（中皿体）と、回転規制部材とからなり、蓋体を外した後、ケース体を把持し、回転体を回転させることにより、ケース体の口部から内容物をケース体内の中皿を介して繰り出し（上昇させ）て使用する繰出容器において、回転規制部材により回転体の回転方向を規制し、内容物の使用中および蓋体で閉蓋して使用を待機している時に常に中皿の繰り下がり（下降）を防止する繰出容器は従来から知られている（例えば、特許文献１参照）。
【０００３】
また、繰出容器に収納する棒状化粧料として、塗ることによりうるおいを与えるために低粘度（水分量の多い）の化粧料やリップクリームなどもよく知られている。
【先行技術文献】
【特許文献】
【０００４】
【特許文献１】特許第５２４０７８７号公報
【発明の概要】
【発明が解決しようとする課題】
【０００５】
上記特許文献１記載の繰出容器では、蓋体で閉蓋して使用を待機している時、ある程度の低粘度の化粧料であれば問題ないが、内包する水分量が極端に多い低粘度の棒状に形成された化粧料などの場合、その水分量や温度変化や湿度などにより化粧料の表面が徐々に液状化し、その液は、図６に示すように、ケース体Ｄ１の内周と中皿Ｄ３の外周との隙間、および、中皿Ｄ３の内周と回転体Ｄ２の回転軸の外周との隙間から下方に漏れ出し、さらに、ケース体Ｄ１と回転体Ｄ２との隙間から容器の外に漏れ出てしまうおそれがあるという問題があった。
【０００６】
本発明は、上記問題を解決することを課題とし、回転軸体の回転方向を規制し、中皿体の繰り下がりを防止するとともに、低粘度（水分量の多い）の棒状化粧料を収納したときでも、液状化した液が容器の外に漏れ出てしまうことを防止できる繰出容器を提供することを目的とする。
【課題を解決するための手段】
【０００７】
本発明は、上記の課題を解決するため、繰出容器として、繰出容器本体と蓋体とからなる繰出容器において、繰出容器本体は、筒状のケース本体と、ケース本体内で回転不能かつ上下動可能に収容される中皿体と、中皿体を上下動するとともに、回転方向が一方向に規制される回転体とを備え、ケース本体は、外周壁と、外周壁内周から連設される底壁とからなり、底壁は、下面から垂設される下側シール筒を有し、回転体は、ケース本体の下側シール筒と摺接可能な環状シール部を有することを特徴とする構成を採用する。
【０００８】
繰出容器本体の実施例として、回転体は、ケース本体内で回転自在に装着されるとともに、中皿体を上下動する回転軸体と、回転軸体下部に一体的に装着されるとともに、ケース本体下部で回転方向が一方向に規制される回転操作体とからなることを特徴とする構成、回転操作体は、回転軸体に装着される嵌合内筒を有し、嵌合内筒は、上端部に環状シール部を有することを特徴とする構成、または、ケース本体の外周壁は、底壁より下方の内周に配設されるラチェット歯を有し、回転操作体は、ケース本体のラチェット歯と係合するラチェット部を有することを特徴とする構成、または、中皿体は、ケース本体の外周壁の内周で摺動する外筒と、外筒の内周下部に連設される皿底壁と、皿底壁の内縁に立設されるとともに、内周に雌ネジ部が螺設される内筒とからなり、回転軸体は、回転操作体の嵌合内筒が装着される嵌合筒と、嵌合筒から立設される軸部とからなり、軸部は、中皿体の雌ネジ部に螺合される雄ネジ部を有することを特徴とする構成を採用する。
さらに、繰出容器本体の実施例として、回転体は、ケース本体内で回転自在に装着されるとともに、中皿体を上下動する回転軸体と、回転軸体下部に一体的に装着されるとともに、ケース本体下部で回転方向が一方向に規制される回転規制体とからなることを特徴とする構成、回転軸体は、回転規制体が装着される嵌合筒を有し、嵌合筒は、上端部に環状シール部を有することを特徴とする構成、または、ケース本体の外周壁は、底壁より下方の内周に配設されるラチェット歯を有し、回転規制体は、ケース本体のラチェット歯と係合するラチェット部を有することを特徴とする構成、または、中皿体は、ケース本体の外周壁の内周で摺動する外筒と、外筒の内周下部に連設される皿底壁と、皿底壁の内縁に立設されるとともに、内周に雌ネジ部が螺設される内筒とからなり、回転軸体は、回転規制体が装着される嵌合筒と、中皿体の雌ネジ部に螺合される雄ネジ部を有する軸部とからなることを特徴とする構成を採用する。
【発明の効果】
【０００９】
本発明の繰出容器は、繰出容器本体と繰出容器本体の上部に装着される蓋体とからなる繰出容器において、繰出容器本体は、筒状のケース本体と、ケース本体内で回転不能かつ上下動可能に収容される中皿体と、中皿体を上下動するとともに、回転方向が一方向に規制される回転体を備え、回転軸体の回転方向を規制し、中皿体の繰り下がりを防止し、また、蓋体で閉蓋した後、容器を放置しても、ケース本体の底壁の下側シール筒と、回転体における回転操作体の環状シール部あるいは回転軸体の環状シール部とが常に摺接可能にシールされているので、嵌合内筒から外側に液が漏れることを防ぎ、容器の外に液が漏れ出すことを防ぐことができる。
【図面の簡単な説明】
【００１０】
【図１】本発明の第１実施例の繰出容器の説明図で、（ａ）は断面側面図、（ｂ）は（ａ）のＸ−Ｘ線切断上面図である。
【図２】第１実施例の繰出容器本体の組み立て工程の説明図である。
【図３】第１実施例の繰出容器本体の組み立て工程の説明図である。
【図４】組み立て後、棒状化粧料を充填した第１実施例の繰出容器本体の説明図である。
【図５】第１実施例の繰出容器本体の使用中の説明図である。
【図６】従来例の繰出容器の使用中の説明図である。
【図７】棒状化粧料を充填した第２実施例の繰出容器本体における要部の断面図である。
【図８】図７の要部拡大図である。
【図９】第２実施例の繰出容器本体の使用中の説明図である。
【図１０】第３実施例の繰出容器本体における要部拡大図である。
【発明を実施するための形態】
【００１１】
次に、本発明の繰出容器について、実施例を示した図面を参照して説明する。
【実施例１】
【００１２】
図１において、Ａは繰出容器本体、Ｂは繰出容器本体Ａの上部に着脱自在に装着される蓋体である。
繰出容器本体Ａは、図１、４に示すように、筒状のケース本体Ａ１と、棒状化粧料Ｃを保持し、外周がケース本体Ａ１内に回転不能かつ上下動可能に収納される中皿体Ａ４と、中皿体Ａ４を上下動するとともに、回転方向が一方向に規制される回転体Ａ５を備え、回転体Ａ５は、ケース本体Ａ１内下部に回転自在に装着されるとともに、外周が中皿体Ａ４の内周と螺合して中皿体Ａ４を上下動する回転軸体Ａ２と、回転軸体Ａ２下部に装着されるともに、ケース本体Ａ１下部で回転方向を規制されて回転する回転操作体Ａ３とから構成されている。
【００１３】
ケース本体Ａ１は、図１に示すように、筒状の外周壁１と、外周壁１の下端から所定の高さ上方に形成され、内方が開口するリング状の底壁２とからなり、外周壁１の上端部外周は縮径され、外周に蓋体Ｂの下部が装着される蓋装着部３が形成されている。
【００１４】
外周壁１内周には、上端から下方に向かい所定の高さまで延び、中皿体Ａ４を回転不能に案内する案内リブ４が対向する二条突設され、案内リブ４下端から底壁２との間は、シール面５となり、底壁２より下部には、回転操作体Ａ３の回転方向を規制するラチェット歯６が周方向に複数（図では、円周に２２．５°間隔で１６カ所）配設されている。
【００１５】
ラチェット歯６は、図１（ｂ）に示すように、内側から見て左側に外周壁１内面から内方に向かい直角に延びる係止面６ａ、右側に係止面６ａ端右側から傾斜して外周壁１内面に向かう傾斜面６ｂが形成されている。
【００１６】
底壁２には、内縁に、内方に向かい上昇する係止突片７が周方向複数配設されている。
底壁２の下面には、繰出容器本体Ａ組み立て時に、回転操作体Ａ３の嵌合内筒２０（後述する）の外周上端部に内周下部が回転可能に密接する下側シール筒８が垂設されている。
【００１７】
回転軸体Ａ２は、図１に示すように、筒状の嵌合筒１０と、嵌合筒１０の上端内周に連設される頂板部１１と、頂板部１１の中央から起立する軸部１２とからなっている。
【００１８】
嵌合筒１０の外周には、下部に回転操作体Ａ３の内周と嵌合するローレット部１３が下端から形成され、ローレット部１３より上部に周設される嵌合突条１４が形成されている。
【００１９】
軸部１２は、外周下部に下端から所定の高さ離れた箇所に抜止突部１５が周設され、抜止突部１５の上方に所定の高さのシール面１６を形成し、シール面１６の上方に上端付近まで延びる雄ネジ部１７が螺設されている。
また、軸部１２の外周の下端部から抜止突部１５との間は、繰出容器本体Ａ組み立て時に、ケース本体Ａ１の底壁２のそれぞれの係止突片７の先端部が当接し、回転軸体Ａ２がケース本体Ａ１に対して回転自在であるとともに、上下動しないように装着させる係止部１８となっている。
【００２０】
回転操作体Ａ３は、内周に回転軸体Ａ２の嵌合筒１０の外周が嵌合する有底の嵌合内筒２０と、嵌合内筒２０の高さ方向で中央付近の外周から外方に連設されるリング状の上壁２１と、上壁２１の外縁から垂設され、外径がケース本体Ａ１の外周壁１の外径とほぼ同じになる筒状の操作筒２２と、上壁２１の上面の所定の位置に立設され、ケース本体Ａ１のラチェット歯６と係合し回転方向を規制する一対のラチェット部２３とからなっている。
操作筒２２の外周には、指が掛かり易くなるようにローレット等が設けられている。
【００２１】
嵌合内筒２０の内周には、下部に回転軸体Ａ２の嵌合筒１０のローレット部１３と嵌合する内向きローレット部２４と、内向きローレット部２４の上部に嵌合突条１４と嵌合する嵌合凹部２５とが形成されている。
嵌合内筒２０の外周上端部は、繰出容器本体Ａ組み立て時に、ケース本体Ａ１の底壁２の下側シール筒８の内周下部が回転可能に摺接する環状シール部２０ａとなっている。
【００２２】
ラチェット部２３は、図１（ｂ）に示すように、繰出容器本体Ａ組み立て時に、ケース本体Ａ１の外周壁１のラチェット歯６先端より内方に位置する上壁２１の上面に、中心で対向する一対立設される支柱２６と、各支柱２６の上端よりラチェット歯６先端より内方に沿って内側から見て右側に延びる円弧状の腕部２７と、各腕部２７の先端部外面から突設され、ラチェット歯６と係合し回転方向を規制する係合爪２８とからなっている。
【００２３】
それぞれの係合爪２８は、腕部２７の先端面から連なる係止面２８ａと、係止面２８ａ端の外側から見て右側から傾斜して腕部２７外面に向かう傾斜面２８ｂが形成されている。
【００２４】
中皿体Ａ４は、図１、４に示すように、ケース本体Ａ１の外周壁１の内周で上下に摺動する外筒３０と、外筒３０の内周下部に連設されるリング状の皿底壁３１と、皿底壁３１の内縁に立設され、内周が回転軸体Ａ２と螺合する内筒３２とからなっている。
また、中皿体Ａ４は、外筒３０の内周に棒状化粧料Ｃの下部を装着するようになっている。
【００２５】
外筒３０の外周には、上端から所定の高さまで延び、ケース本体Ａ１の外周壁１の案内リブ４と係合し、中皿体Ａ４がケース本体Ａ１に対して回転することを防止する案内凹部３３が対向する二箇所に凹設されている。
また、外筒３０の外周の下端部面３０ａは、中皿体Ａ４をケース本体Ａ１に対して最下降させた際に、外周壁１のシール面５に密接しシールするようになっている。
上述した実施例では、ケース本体Ａ１の外周壁１に案内リブ４を突設し、中皿体Ａ４の外筒３０に案内凹部３３を凹設したが、互いに係合して中皿体Ａ４がケース本体Ａ１に対して上下動可能であるとともに回転することを防止することができればよいので、ケース本体Ａ１の外周壁１の内周に案内凹部を凹設し、中皿体Ａ４の外筒３０の外周に案内リブを突設するようにしてもよい。
【００２６】
内筒３２の内周には、上端から所定の高さまで延び、回転軸体Ａ２の軸部１２の雄ネジ部１７と螺合する雌ネジ部３４が螺設されている。
また、内筒３２の内周の下端部面３２ａは、中皿体Ａ４をケース本体Ａ１に対して最下降させた際に、回転軸体Ａ２の軸部１２のシール面１６に密接しシールするようになっている。
【００２７】
蓋体Ｂは、図１に示すように、頂壁３５と、頂壁３５の外縁から垂設されるとともに、外径がケース本体Ａ１の外周壁１の外径とほぼ等しい筒状の側周壁３６とからなり、側周壁３６は、内周が、外周壁１の蓋装着部３の外周に嵌合する径で形成されている。
【００２８】
次に、本実施形態の使用態様と作用効果について図面を参照しながら説明する。
繰出容器本体Ａを組み立て工場のライン等で自動的あるいは半自動的に組み立てる際には、まず、ケース本体Ａ１の底壁２の開口の下方から回転軸体Ａ２の軸部１２の先端を挿入し、回転軸体Ａ２をケース本体Ａ１に装着させる。
【００２９】
その際、回転軸体Ａ２の軸部１２の抜止突部１５が、ケース本体Ａ１の底壁２のそれぞれの係止突片７の先端部に当接して上方に押し上げ、係止突片７を変形させて乗り越えさせ、ケース本体Ａ１の底壁２のそれぞれの係止突片７の先端部が軸部１２の係止部１８に当接することにより、回転軸体Ａ２がケース本体Ａ１に回転自在かつ上下動不能に装着される。
【００３０】
次に、ケース本体Ａ１の上方から、中皿体Ａ４を挿入し、中皿体Ａ４の外筒３０の案内凹部３３とケース本体Ａ１の外周壁１の案内リブ４とを係合させ、中皿体Ａ４をケース本体Ａ１に対して回転しないようにするとともに、中皿体Ａ４の内筒３２内に回転軸体Ａ２の軸部１２を挿入させてセットした後、図２に示すように、回転軸体Ａ２を自動セット機により螺合方向に回転させることで、内筒３２の雌ネジ部３４と軸部１２の雄ネジ部１７との螺合により、中皿体Ａ４をケース本体Ａ１に対して降下させる。
【００３１】
中皿体Ａ４をケース本体Ａ１に対して最下降させたところで、回転軸体Ａ２の回転を止める。
その際、ケース本体Ａ１の外周壁１内周のシール面５と中皿体Ａ４の外筒３０の外周の下端部面３０ａ、および、中皿体Ａ４の内筒３２の内周の下端部面３２ａと回転軸体Ａ２の軸部１２外周のシール面１６が、それぞれ密接してシールされる。
【００３２】
次に、図３に示すように、回転軸体Ａ２の嵌合筒１０のローレット部１３と、回転操作体Ａ３の嵌合内筒２０の内向きローレット部２４とを嵌合させながら、回転操作体Ａ３を回転軸体Ａ２に対して上昇させ、回転軸体Ａ２の下方から回転操作体Ａ３を装着する。
【００３３】
最後は、図４に示すように、回転軸体Ａ２の嵌合筒１０のローレット部１３と回転操作体Ａ３の嵌合内筒２０の内向きローレット部２４とが嵌合するとともに、嵌合筒１０の嵌合突条１４と嵌合内筒２０の嵌合凹部２５とが嵌合し、回転操作体Ａ３を回転軸体Ａ２に対して回転不能であるとともに、上下動しないように装着させた後、低粘度の化粧料をケース本体Ａ１の外周壁１内方に上方から充填させることで、棒状化粧料Ｃを収納した繰出容器本体Ａとなる。
このとき、ケース本体Ａ１の外周壁１のいずれかのラチェット歯６と回転操作体Ａ３のラチェット部２３のそれぞれの係合爪２８とは当接しない位置である。
【００３４】
また、回転操作体Ａ３の嵌合内筒２０の環状シール部２０ａが、ケース本体Ａ１の底壁２の下側シール筒８の内周下部に挿入し、密接してシールされる。
【００３５】
以上、説明したように、本願発明では、繰出容器本体Ａを組み立て工場のライン等で自動的あるいは半自動的に組み立てる工程として、まず、回転軸体Ａ２をケース本体Ａ１に装着させた後、ケース本体Ａ１内に中皿体Ａ４を挿入してセットし、回転軸体Ａ２を自動セット機により螺合方向に回転させて中皿体Ａ４をケース本体Ａ１に対して最下降させた後に、回転軸体Ａ２に回転操作体Ａ３を装着し、繰出容器本体Ａを組み立てるようにしている。
仮に、回転操作体Ａ３とケース本体Ａ１とのラチェット機構がない（または、最初の回転では無視することができるラチェット機構）繰出容器本体であるとして、回転軸体Ａ２をケース本体Ａ１に装着させ、回転軸体Ａ２に回転操作体Ａ３を装着し、ケース本体Ａ１内に中皿体Ａ４を挿入してセットした後、回転軸体Ａ２に装着した回転操作体Ａ３を自動セット機により螺合方向に回転させて中皿体Ａ４をケース本体Ａ１に対して最下降させるようにした組み立て工程である場合、回転操作体Ａ３の嵌合内筒２０の環状シール部２０ａとケース本体Ａ１の底壁２の下側シール筒８の内周下部とが先に密接されているので、自動セット機による回転に対して抵抗となり、より強いトルクを必要し、中皿体Ａ４の下降不良を起こしたり、または、ケース本体Ａ１の下側シール筒８の内周と嵌合内筒２０の環状シール部２０ａに傷を付けてしまい、シール不良を起こすおそれがある。
【００３６】
本発明は、上記の組み立て工程としたことにより、最後に、ケース本体Ａ１の下側シール筒８の内周下部に回転操作体Ａ３の嵌合内筒２０の環状シール部２０ａを挿入し、密接してシールするので、中皿体Ａ４の下降不良を起こしたり、ケース本体Ａ１の下側シール筒８の内周と嵌合内筒２０の環状シール部２０ａに傷を付けてしまうことがなく、繰出容器本体Ａの組み立て工程として最善である。
【００３７】
組み上がった繰出容器本体Ａは、前述のように化粧料を充填した後、ケース本体Ａ１に蓋体Ｂを装着することで、容器内を密閉して閉蓋される。
【００３８】
棒状化粧料Ｃを使用する際には、蓋体Ｂを繰出容器本体Ａから外した後、ケース本体Ａ１を手指等で把持して固定し、回転操作体Ａ３をケース本体Ａ１に対して上から見て左回転させる（もちろん、回転操作体Ａ３を固定し、ケース本体Ａ１を回転させてもよい）。
【００３９】
回転操作体Ａ３をケース本体Ａ１に対して上から見て左回転させると、回転操作体Ａ３に回転不能に装着された回転軸体Ａ２も一緒に回転する。
【００４０】
回転操作体Ａ３がケース本体Ａ１に対して上から見て左回転することにより、図１（ｂ）に示すように、回転操作体Ａ３の一対設けたラチェット部２３が回転し、ラチェット部２３の係合爪２８の傾斜面２８ｂがケース本体Ａ１の外周壁１の内周に設けたいずれかのラチェット歯６の傾斜面６ｂに当接していき、係合爪２８を内側に押し、その力により、ラチェット部２３の腕部２７が変形し、当接したラチェット歯６に対して係合爪２８および腕部２７自体が内側に押されていく。
【００４１】
さらに回転させると、係合爪２８がラチェット歯６を乗り越え、当接が外され、腕部２７の変形が解かれ、ラチェット部２３の腕部２７自体が元に戻る。
ラチェット歯６と当接してラチェット部２３の腕部２７が変形して、腕部２７の先端部が前後動するので、回転操作体Ａ３がケース本体Ａ１に対して上から見て左回転するたびに使用者にクリック感を与えることができる。
【００４２】
また、回転軸体Ａ２を上から見て左回転させることで、回転軸体Ａ２の雄ネジ部１７と、ケース本体Ａ１とともに回転しない中皿体Ａ４の内筒３２の雌ネジ部３４との螺合により、中皿体Ａ４がケース本体Ａ１内で上昇していく。
【００４３】
回転操作体Ａ３の上から見て左回転を操作することにより、図５に示すように、中皿体Ａ４がケース本体Ａ１に対して上昇し、棒状化粧料Ｃをケース本体Ａ１の外周壁１の開口から任意の高さ外に繰り出し、回転操作体Ａ３の回転を止め、棒状化粧料Ｃを使用することができる。
使用後、蓋体Ｂをケース本体Ａ１に装着し、閉蓋することで繰出容器本体Ａ内が密封されるので、棒状化粧料Ｃの乾燥などを防ぎ、繰り返し開閉蓋をして使用することができる。
【００４４】
また、棒状化粧料Ｃ使用後、棒状化粧料Ｃをケース本体Ａ１の外周壁１内に戻すために、回転操作体Ａ３をケース本体Ａ１に対して上から見て右回転しようとしても、回転操作体Ａ３のラチェット部２３の係合爪２８の係止面２８ａがケース本体Ａ１の外周壁１のいずれかのラチェット歯６の係止面６ａに当接し、回転が阻止されるので、螺合による中皿体Ａ４の下降が止められ、棒状化粧料Ｃをケース本体Ａ１の外周壁１内に戻すことを防止している。
【００４５】
本発明のような繰出容器では、図５に示すように、中皿体Ａ４がケース本体Ａ１内で上昇することにより、ケース本体Ａ１の外周壁１内周のシール面５と中皿体Ａ４の外筒３０の外周の下端部面３０ａと、中皿体Ａ４の内筒３２の内周の下端部面３２ａと回転軸体Ａ２の軸部１２外周のシール面１６とのそれぞれのシールが外される。
【００４６】
蓋体Ｂで閉蓋した後、容器を放置しておくと、棒状化粧料Ｃが低粘度（水分量の多い）のものの場合、水分量や温度変化や湿度などにより化粧料が徐々に液状化し、その液がケース本体Ａ１の外周壁１内周と中皿体Ａ４の外筒３０外周、および、中皿体Ａ４の内筒３２内周と回転軸体Ａ２の軸部１２外周との隙間から中皿体Ａ４から下方に漏れ出て、さらにケース本体Ａ１の底壁２の開口から下方に漏れ出すおそれがあるが、本願発明の繰出容器本体Ａでは、回転操作体Ａ３の嵌合内筒２０の環状シール部２０ａとケース本体Ａ１の底壁２の下側シール筒８の内周下部とが摺接可能にシールされているので、嵌合内筒２０より外側に液が漏れることを防ぎ、容器の外に液が漏れ出すことを防ぐことができる。
【実施例２】
【００４７】
次に、繰出容器の構成を変更した第２実施例について、図７〜９を参照して説明する。
本実施例では、回転体Ａ５の回転軸体Ａ６に環状シール部４０ａを有する。
以下、第１実施例と同一の構成部分には同一の符号を付し、回転体Ａ５の回転軸体Ａ６および回転規制体Ａ７における変更部分に新たな符号を付し、相違点を中心に説明する。
【００４８】
図７〜９において、繰出容器本体Ａのケース本体Ａ１と中皿体Ａ４については第１実施例と同じであるので説明を省略し、回転体Ａ５の新たな符号を付される回転軸体Ａ６と回転規制体Ａ７における変更部分を中心に説明する。
【００４９】
回転軸体Ａ６は、中央に軸部４２を有し、軸部４２の外周下端から所定の高さの箇所で外方から下方に連設される嵌合筒４０と、さらに嵌合筒４０の下端から外方に連設される横壁４１と、横壁４１の外縁から垂設され、外径がケース本体Ａ１の外周壁１の外径とほぼ同じになる把持筒４３からなっている。
横壁４１には、回転規制体Ａ７のラチェット部２３を挿通するための円弧状の挿通窓４４を穿設してある。
また、把持筒４３の外周には、指が掛かり易くなるようにローレット等が設けられている。
【００５０】
軸部４２は、外周下部に下端から所定の高さ離れた箇所に抜止突部１５が周設され、抜止突部１５の上方に所定の高さのシール面１６を形成し、シール面１６の上方に上端付近まで延びる雄ネジ部１７が螺設されている。
また、軸部４２に連設された嵌合筒４０の上端と抜止突部１５との間は、繰出容器本体Ａ組み立て時に、ケース本体Ａ１の底壁２のそれぞれの係止突片７の先端部が当接し、回転軸体Ａ６がケース本体Ａ１に対して回転自在であるとともに、上下動しないように装着させる係止部１８となっている。
軸部４２の外周下部には、回転規制体Ａ７の嵌合突条５３と嵌合するための嵌合凹部４５が設けられている。
【００５１】
嵌合筒４０の外周上端部は、繰出容器本体Ａ組み立て時に、ケース本体Ａ１の底壁２の下側シール筒８の内周下部が回転可能で摺接可能な環状シール部４０ａとなっている。
本実施例においては、図８のように、下側シール筒８と環状シール部４０ａとの間にわずかな隙間（１ｍｍ以下／最適な隙間は０．０５ｍｍ）が設けられている。
【００５２】
回転規制体Ａ７は、底壁５１を有し、底壁５１の内方端部には、回転軸体Ａ６の軸部４２と嵌合筒４０との間に嵌入するために立設される嵌合内筒５０と、外方端部に立設される支柱筒５２と、支柱筒５２を介して、回転軸体Ａ６の横壁４１の挿通窓４４を越えて連設されるラチェット部２３とからなっている。
ラチェット部２３は、第１実施例と同様に、腕部２７と係合爪２８を有し、係合爪２８はケース本体Ａ１のラチェット歯６と係合し、回転軸体Ａ６の回転方向を規制する。
【００５３】
次に、本実施形態の使用態様と作用効果について図面を参照しながら説明する。
繰出容器本体Ａを組み立て工場のライン等で自動的あるいは半自動的に組み立てについては、第１実施例と同様であり、回転軸体Ａ６をケース本体Ａ１に装着させた後、ケース本体Ａ１内に中皿体Ａ４を挿入してセットし、回転軸体Ａ６を自動セット機により螺合方向に回転させて中皿体Ａ４をケース本体Ａ１に対して最下降させた後に、回転軸体Ａ６に回転規制体Ａ７を装着し、繰出容器本体Ａを組み立てる。
組み上がった繰出容器本体Ａは、化粧料を充填した後、ケース本体Ａ１に蓋体Ｂ（図示なし）を装着することで、容器内を密閉して閉蓋される。
【００５４】
棒状化粧料Ｃを使用する際には、蓋体Ｂを繰出容器本体Ａから外した後、ケース本体Ａ１を手指等で把持して固定し、回転軸体Ａ６の把持筒４３を把持して、ケース本体Ａ１に対して上から見て左回転させる。
【００５５】
回転軸体Ａ６をケース本体Ａ１に対して上から見て左回転させると、回転規制体Ａ７のラチェット部２３が回転する。
その後のラチェット部２３の動きは、第１実施例と同様であり、係合爪２８の傾斜面２８ｂがケース本体Ａ１の外周壁１の内周に設けたいずれかのラチェット歯６の傾斜面６ｂに当接していき、係合爪２８を内側に押し、その力により、ラチェット部２３の腕部２７が変形し、当接したラチェット歯６に対して係合爪２８および腕部２７自体が内側に押されていく。
【００５６】
さらに回転させると、係合爪２８がラチェット歯６を乗り越え、当接が外され、腕部２７の変形が解かれ、ラチェット部２３の腕部２７自体が元に戻る。
ラチェット歯６と当接してラチェット部２３の腕部２７が変形して、腕部２７の先端部が前後動し、使用者にクリック感を与えることができる。
【００５７】
また、回転軸体Ａ６を上から見て左回転させることで、回転軸体Ａ６の雄ネジ部１７と、ケース本体Ａ１とともに回転しない中皿体Ａ４の内筒３２の雌ネジ部３４との螺合により、中皿体Ａ４がケース本体Ａ１内で上昇し、棒状化粧料Ｃをケース本体Ａ１の外周壁１の開口から任意の高さ外に繰り出し、回転軸体Ａ６の回転を止め、棒状化粧料Ｃを使用することができる。
使用後、蓋体Ｂをケース本体Ａ１に装着し、閉蓋することで繰出容器本体Ａ内が密封されるので、棒状化粧料Ｃの乾燥などを防ぎ、繰り返し開閉蓋をして使用することができる。
【００５８】
また、棒状化粧料Ｃ使用後、棒状化粧料Ｃをケース本体Ａ１の外周壁１内に戻すために、回転軸体Ａ６をケース本体Ａ１に対して上から見て右回転しようとしても、回転規制体Ａ７のラチェット部２３の係合爪２８の係止面２８ａがケース本体Ａ１の外周壁１のいずれかのラチェット歯６の係止面６ａに当接し、回転が阻止されるので、螺合による中皿体Ａ４の下降が止められ、棒状化粧料Ｃをケース本体Ａ１の外周壁１内に戻すことを防止している。
【００５９】
中皿体Ａ４がケース本体Ａ１内で上昇することにより、ケース本体Ａ１の外周壁１内周のシール面５と中皿体Ａ４の外筒３０の外周の下端部面３０ａと、中皿体Ａ４の内筒３２の内周の下端部面３２ａと回転軸体Ａ６の軸部４２外周のシール面１６とのそれぞれのシールが外される。
【００６０】
蓋体Ｂで閉蓋した後、容器を放置しておくと、図９で示すように、棒状化粧料Ｃが低粘度（水分量の多い）のものの場合、水分量や温度変化や湿度などにより化粧料が徐々に液状化し、その液がケース本体Ａ１の外周壁１内周と中皿体Ａ４の外筒３０外周、および、中皿体Ａ４の内筒３２内周と回転軸体Ａ６の軸部４２外周との隙間から中皿体Ａ４から下方に漏れ出て、さらにケース本体Ａ１の底壁２の開口から下方に漏れ出すおそれがあるが、本実施例の繰出容器本体Ａでは、回転軸体Ａ６の嵌合筒４０の環状シール部４０ａとケース本体Ａ１の底壁２の下側シール筒８の内周下部とで、摺接可能にシールされているので、嵌合筒４０より外側に液が漏れることを防ぎ、容器の外に液が漏れ出すことを防ぐことができる。
【００６１】
本実施例は、下側シール筒８と環状シール部４０ａとの間にわずかな隙間（１ｍｍ以下／最適な隙間は０．０５ｍｍ）が設けられており、内容物が流出する可能性があるとしても、その量はわずかであり、また、内容物によっては流出せず、繰出容器本体Ａの外部に流出することはない。わずかな隙間を設けることにより、下側シール筒８と環状シール部４０ａのスムーズな動きを確保することができる。
【実施例３】
【００６２】
第２実施例においては、ケース本体Ａ１の下側シール筒８と回転軸体Ａ６の環状シール部４０ａとの間にわずかな隙間が設けられていたが、本実施例では、第２実施例と全体において同様であるが、図１０のように、わずかな隙間をなくし、摺接して完全にシールを行うことも可能である。
それによって、完全な液漏れ防止が可能となるが、密接にシールし過ぎると、回転トルクが高くなって、回転軸体Ａ６の回転操作が重くなる場合がある。
なお、上記第２および第３実施例では、繰り出した棒状化粧料Ｃを再度繰出容器本体Ａ内に戻すことを防止するためにラチェット機構を有する回転規制体Ａ７を使用するものであるが、ラチェット機構を有する回転規制体Ａ７を使用しない繰出容器とすることも可能であり、その場合には、回転軸体Ａ６の左回転で中皿体Ａ４が上昇、右回転で中皿体Ａ４が下降し、棒状化粧料Ｃの位置を任意に変えることができる。
【産業上の利用可能性】
【００６３】
本実施形態の繰出容器は、棒状化粧料などを繰り出すことができるとともに、繰り出した棒状化粧料を再度繰出容器本体内に戻すこと防止することができ、さらに容器外に液状化した化粧料が漏れ出すことがない繰出容器として好適に利用できる。
【符号の説明】
【００６４】
Ａ              繰出容器本体
Ａ１            ケース本体
Ａ２、Ａ６      回転軸体
Ａ３            回転操作体
Ａ４            中皿体
Ａ５            回転体
Ａ７            回転規制体
Ｂ              蓋体
Ｃ              棒状化粧料
Ｄ１            ケース体
Ｄ２            回転体
Ｄ３            中皿
１              外周壁
２              底壁
３              蓋装着部
４              案内リブ
５、１６        シール面
６              ラチェット歯
６ａ、２８ａ    係止面
６ｂ、２８ｂ    傾斜面
７              係止突片
８              下側シール筒
１０、４０        嵌合筒
１１              頂板部
１２、４２        軸部
１３              ローレット部
１４              嵌合突条
１５              抜止突部
１７              雄ネジ部
１８              係止部
２０、５０        嵌合内筒
２０ａ            環状シール部
２１              上壁
２２              操作筒
２３              ラチェット部
２４              内向きローレット部
２５              嵌合凹部
２６              支柱
２７              腕部
２８              係合爪
３０              外筒
３１              皿底壁
３２              内筒
３３              案内凹部
３４              雌ネジ部
３５              頂壁
３６              側周壁
４０ａ            環状シール部
４１              横壁
４３              把持筒
４４              挿通窓
４５              嵌合凹部
５１              底壁
５２              支柱筒
５３              嵌合突条
【図１】
2017012725.tif 000003
【図２】
2017012725.tif 000004
【図３】
2017012725.tif 000005
【図４】
2017012725.tif 000006
【図５】
2017012725.tif 000007
【図６】
2017012725.tif 000008
【図７】
2017012725.tif 000009
【図８】
2017012725.tif 000010
【図９】
2017012725.tif 000011
【図１０】
2017012725.tif 000012